(57)【要約】【課題】配線の簡素化が可能な分波機能付テレビコンセントを提供する。【解決手段】アンテナ線Ｌに接続され、アンテナ線Ｌから入力された入力信号からＣＳ及びＢＳ受信帯域を含む衛星放送信号とＵＨＦ及びＶＨＦ受信帯域を含む地上波放送信号とに分波する分波部と、衛星放送信号を出力する衛星放送出力端子３１と地上波放送信号を出力する地上波放送出力端子３２とが設けられるとともに分波部が内蔵された器体とを備える。ＣＳ及びＢＳ受信帯域の組み合わせとＵＨＦ及びＶＨＦ受信帯域の組み合わせとはそれぞれ一般的に同じ機器に入力される組み合わせであるから、分波した各信号が出力される各ケーブルを混合器や分波器を通さずに直接機器に接続することができる。従って、ＣＳ受信帯域とＢＳ及びＵＨＦ及びＶＨＦ受信帯域とを分波する場合に比べて配線を簡素化することができる。【選択図】        図１
2004206969.tif 000002
【特許請求の範囲】
【請求項１】
アンテナ線に接続され、アンテナ線から入力された入力信号からＣＳ及びＢＳ受信帯域を含む衛星放送信号とＵＨＦ及びＶＨＦ受信帯域を含む地上波放送信号とに分波する分波部と、衛星放送信号を出力する衛星放送出力端子と地上波放送信号を出力する地上波放送出力端子とが設けられるとともに分波部が内蔵された器体とを備えることを特徴とする分波機能付テレビコンセント。
【請求項２】
埋込型の配線器具用に規格化された取付枠に３個まで取り付けることのできる単位寸法の配線器具の２個分の寸法に器体を形成したことを特徴とする請求項１記載の分波機能付テレビコンセント。
【請求項３】
分波部に接続されるアンテナ線とは別の第２のアンテナ線から入力された信号が出力されるＣＳ放送出力端子を器体に設け、埋込型の配線器具用に規格化された取付枠に３個まで取り付けることのできる単位寸法の配線器具の３個分の寸法に器体を形成したことを特徴とする請求項１記載の分波機能付テレビコンセント。
【請求項４】
分波部はＵＨＦ受信帯域よりも周波数の低い切換信号を衛星放送出力端子からアンテナ線へ通過可能とすることを特徴とする請求項１又は請求項２記載の分波機能付テレビコンセント。
【請求項５】
地上波放送信号を２分配する分配部と、分配部の一方の出力が入力され少なくとも流合雑音に対応する周波数帯域の信号を阻止して地上波放送出力端子に出力する第１のフィルタと、少なくとも流合雑音に対応する周波数帯域の信号を阻止する第２のフィルタ並びに分配部の他方の出力をそのまま通過させるオフ状態と第２のフィルタに通すオン状態とを切り換えるスイッチを有するフィルタ部とを器体に内蔵し、分配部の他方の出力がフィルタ部を介して入力される第２の地上波放送出力端子を器体に設けたことを特徴とする請求項１又は４記載の分波機能付テレビコンセント。
【請求項６】
地上波放送信号を２分配する分配部と、信号を通過させる状態と線路を終端させる状態とを切り換える終端スイッチとが器体に内蔵され、第２の地上波放送出力端子が器体に設けられ、分配部の一方の出力は地上波放送出力端子に入力され、他方の出力は終端スイッチを介して第２の地上波放送出力端子に入力されることを特徴とする請求項１又は３記載の分波機能付テレビコンセント。
【発明の詳細な説明】
【０００１】
【発明の属する技術分野】
本発明は、アンテナ線からの信号を周波数に応じて分波する分波機能付テレビコンセントに関するものである。
【０００２】
【従来の技術】
現在、主な放送サービスとして、ＵＨＦ帯やＶＨＦ帯の電波を用いた地上波放送と、放送衛星を用いたＢＳ放送と、通信衛星を用いたＣＳ放送とが提供されている。これらの放送サービスの信号はそれぞれアンテナ等によって受信された後、１本のアンテナ線に混合されて室内に引き込まれる。混合された信号を分波し、各放送に対応したチューナなどの機器に供給するため、分波機能付テレビコンセントが用いられている。
【０００３】
従来の分波機能付テレビコンセントは、入力信号を、ＣＳ放送に対応したＣＳ受信帯域の信号と、ＣＳ放送以外の放送に対応する受信帯域の信号とに分波していた（例えば、特許文献１参照）。
【０００４】
【特許文献１】
特開２０００−１００５３１号公報（第３−５頁、第４図）
【０００５】
【発明が解決しようとする課題】
しかし、ＵＨＦ及びＶＨＦ受信帯域の信号は、通常、ＢＳ放送用のチューナとは別のチューナに入力する必要がある。従って、上記従来の分波機能付テレビコンセントにおいて分波された信号のうち、ＣＳ受信帯域の信号を含まない信号から、ＵＨＦ及びＶＨＦ受信帯域の信号とＢＳ放送に対応したＢＳ受信帯域の信号とをさらに分波する必要がある。また、現在一般的なＣＳ放送はデジタルＢＳ放送と共通のチューナを用いるから、ＣＳ受信帯域の信号とＢＳ受信帯域の信号とを、チューナに入力する前に混合する必要がある。
【０００６】
従って、図３０に示すように、従来の分波機能付テレビコンセントＣを用いるシステムにおいては、アンテナ線Ｌから入力され分波機能付テレビコンセントＣによって分波されたＣＳ放送以外の放送の受信帯域の信号をＢＳ受信帯域とＵＨＦ及びＶＨＦ受信帯域とに分波してＵＨＦ及びＶＨＦ受信帯域をＴＶ受像機Ｔ１等に入力する分波器Ｓと、ＢＳ受信帯域とＣＳ受信帯域とを混合してからＣＳ・ＢＳチューナＴ２に入力する混合器Ｍとが必要となり、配線が複雑になっていた。
【０００７】
本発明は上記事由に鑑みてなされたものであり、その目的は、配線の簡素化が可能な分波機能付テレビコンセントを提供することにある。
【０００８】
【課題を解決するための手段】
請求項１の発明は、アンテナ線に接続され、アンテナ線から入力された入力信号からＣＳ及びＢＳ受信帯域を含む衛星放送信号とＵＨＦ及びＶＨＦ受信帯域を含む地上波放送信号とに分波する分波部と、衛星放送信号を出力する衛星放送出力端子と地上波放送信号を出力する地上波放送出力端子とが設けられるとともに分波部が内蔵された器体とを備えることを特徴とする。
【０００９】
請求項２の発明は、請求項１の発明において、埋込型の配線器具用に規格化された取付枠に３個まで取り付けることのできる単位寸法の配線器具の２個分の寸法に器体を形成したことを特徴とする。
【００１０】
請求項３の発明は、請求項１の発明において、分波部に接続されるアンテナ線とは別の第２のアンテナ線から入力された信号が出力されるＣＳ放送出力端子を器体に設け、埋込型の配線器具用に規格化された取付枠に３個まで取り付けることのできる単位寸法の配線器具の３個分の寸法に器体を形成したことを特徴とする。
【００１１】
請求項４の発明は、請求項１又は請求項２の発明において、分波部はＵＨＦ受信帯域よりも周波数の低い切換信号を衛星放送出力端子からアンテナ線へ通過可能とすることを特徴とする。
【００１２】
請求項５の発明は、請求項１又は４の発明において、地上波放送信号を２分配する分配部と、分配部の一方の出力が入力され少なくとも流合雑音に対応する周波数帯域の信号を阻止して地上波放送出力端子に出力する第１のフィルタと、少なくとも流合雑音に対応する周波数帯域の信号を阻止する第２のフィルタ並びに分配部の他方の出力をそのまま通過させるオフ状態と第２のフィルタに通すオン状態とを切り換えるスイッチを有するフィルタ部とを器体に内蔵し、分配部の他方の出力がフィルタ部を介して入力される第２の地上波放送出力端子を器体に設けたことを特徴とする。
【００１３】
請求項６の発明は、請求項１又は４の発明において、地上波放送信号を２分配する分配部と、信号を通過させる状態と線路を終端させる状態とを切り換える終端スイッチとが器体に内蔵され、第２の地上波放送出力端子が器体に設けられ、分配部の一方の出力は地上波放送出力端子に入力され、他方の出力は終端スイッチを介して第２の地上波放送出力端子に入力されることを特徴とする。
【００１４】
【発明の実施の形態】
以下、本発明の実施の形態を図面に基づいて説明する。
【００１５】
（実施形態１）
本実施形態は、図２に示すように、アンテナ線Ｌ（図１参照）が接続される入力端子１と、アンテナ線Ｌから入力端子１を介して入力された入力信号をＣＳ及びＢＳ受信帯域を含む衛星放送信号とＵＨＦ及びＶＨＦ受信帯域を含む地上波放送信号とに分波する分波部２と、衛星放送信号が出力される衛星放送出力端子３１と、地上波放送信号が出力される地上波放送出力端子３２とを備える。衛星放送信号は例えば入力信号の高周波成分であり、地上波放送信号は入力信号の低周波成分であって、分波部２は、衛星放送信号を通過させるハイパスフィルタ（ＨＰＦ）２１と、地上波放送信号を通過させるローパスフィルタ（ＬＰＦ）２２とからなる。さらに、入力端子１と衛星放送出力端子３１との間で電流通過可能とする電流通過部４が、ハイパスフィルタ２１に並列に接続されている。アンテナのコンバータや、入力端子１に入力される前の信号を増幅するブースタなど、入力端子の前段に接続された機器には、チューナから電流通過部４とアンテナ線Ｌとを介して電源を供給することができる。
【００１６】
分波部２は、図３に示す器体５に収納され、衛星放送出力端子３１と地上波放送出力端子３２とは器体５に設けられている。器体５は、埋込型の配線器具用に規格化された取付枠に設けられた長方形状の取付穴に３個まで取り付けることのできる単位寸法の配線器具の３個分の寸法に形成されている。具体的には例えば、ＪＩＳ８３０３に規定された大角形連用配線器具の３個モジュール寸法である。器体５の両側面には、取付枠に結合される各４個ずつの取付爪５１が突設されている。入力端子１は器体５の後面に設けられた入力端子部５２に内蔵され、器体５の前面にはそれぞれ衛星放送出力端子３１と地上波放送出力端子３２との一方に対応する２個のレセプタクル５３が設けられている。
【００１７】
アンテナ線Ｌは例えば同軸ケーブルであって、各レセプタクル５３はそれぞれ例えばＦ型プッシュプラグに対応するレセプタクルである。入力端子部５２は全体として箱状に形成され、内部には、同軸ケーブルの内部導体を挟持する端子ばね（図示せず）と、同軸ケーブルの外部導体に接触する端子板（図示せず）とが設けられている。入力端子部５２は更に、端子板に螺合するねじＢと、ねじＢが挿通された押さえ板（図示せず）とを備え、ねじＢが締められることによって押さえ板が同軸ケーブルを端子板に押し付ける構造となっている。
【００１８】
上記構成によれば、一般的に同じ機器に入力される組み合わせであるＣＳ及びＢＳ受信帯域とＵＨＦ及びＶＨＦ受信帯域とを分波するので、分波した各信号が出力される各ケーブルを混合器や分波器を通さずに直接機器に接続することができるから、ＣＳ受信帯域とＣＳ放送以外の放送の受信帯域とを分波する場合に比べて配線を簡素化することができる。
【００１９】
ここで、入力端子部５２の構造は、一般的なＦ型接栓でもよく、また、図４に示すように、外部からの電磁波を遮蔽する金属板で覆われた高シールド型としてもよい。また、器体５を取付枠と一体化した形状とし、別途取付枠を用いずに埋込配設可能としてもよい。
【００２０】
さらに、図５に示すように、入力信号を分岐させる分岐部６と、分岐部６の出力の一方をそのまま出力する送り端子３３とを設け、送り配線に用いてもよい。この場合、図６に示すように、電流通過部４を送り端子３３と入力端子１との間に設け、送り端子３３の後段側から入力端子１の前段側へ電源供給可能としてもよい。また、図７に示すように、送り端子３３の代わりに線路を終端させる終端部３３ａを設ければ、通常の分波機能付テレビコンセントとして用いることができる。
【００２１】
（実施形態２）
本実施形態の基本的な構成は実施形態１と同様であるので、共通の部分については同じ符号を付して説明を省略し、異なる部分についてのみ説明する。本実施形態における器体５は、図８に示すように、大角連用型の２個モジュール寸法に形成されている。その他の構成は実施形態１と同様である。なお、入力端子部５２の構造は、図９に示すように外部からの電磁波を遮蔽する金属板で覆われた高シールド型であってもよい。
【００２２】
ところで、現在、それぞれ２種類の偏波を送信する２個の通信衛星を用いるＣＳ放送サービスが提供されている。このＣＳ放送を受信するシステムにおいては、図１０に示すように、ＣＳ用のアンテナとテレビコンセントＣ２との間に介在し２個の通信衛星の各２種類の偏波による計４種類の信号がそれぞれ入力されるＣＳ信号切換器ＣＣを用いる。ＣＳチューナＴ３は、視聴しようとするチャンネルがどちらの衛星のどちらの偏波に対応するかを示す衛星偏波切換信号をＣＳ信号切換器ＣＣに出力し、ＣＳ信号切換機ＣＣは衛星偏波切換信号に応じて上記４種類の信号のうちの１種類をＣＳチューナＴ３へ出力するようになっている。つまり、テレビコンセントＣ２が衛星偏波切換信号を通過させる必要がある。ここで、衛星偏波切換信号は、周波数３０〜６０ｋＨｚ、０．４〜０．８Ｖｐｐの交流信号の有無と、１１Ｖ／１５Ｖの直流電圧とによって衛星及び偏波の切換制御を行うものである。従って、衛星偏波切換信号はハイパスフィルタ２１を通過することができないから、このＣＳ放送は図２に示した構成の分波機能付テレビコンセントＣだけでは受信できない。このＣＳ放送を受信するためには、ＣＳチューナＴ３と接続するための専用のテレビコンセントＣ２を別途設けることが考えられる。
【００２３】
ここで、埋込型配線器具用の取付枠としては、３個モジュール寸法の取付穴を１つだけ有する１連の取付枠と、複数の取付穴が短手方向に並べて設けられた複数連の取付枠とがある。従って、実施形態１のように３個モジュール寸法の分波機能付テレビコンセントを用いる場合、分波機能付テレビコンセントＣだけで１つの取付穴が埋まってしまうから、上述のように専用のテレビコンセントＣ２を別途設けるには、図１１に示すような２連の取付枠を用いるか、１連の取付枠を２つ用いる必要があり、広い設置スペースが必要になってしまう。
【００２４】
一方、本実施形態においては、器体５が２個モジュール寸法に形成されていることにより、上述したＣＳ放送専用のテレビコンセントＣ２を１個モジュール寸法とすれば、図１２乃至図１３に示すように組み合わせても全体として３個モジュール寸法にしかならないから、１つの取付穴に取り付けることができ、器体５を３個モジュール寸法とする場合に比べて設置スペースを小さくすることができる。
【００２５】
また、図１４乃至図１５に示すように、ＣＳ放送専用のテレビコンセントを一体化してもよい。詳しく説明すると、入力端子部５２にはそれぞれ通常のアンテナ線ＬとＣＳ信号切換機ＣＣに接続された第２のアンテナ線との一方が挿入接続される２つの接続部５２ａを設けるとともに、器体６の前面には第２のアンテナ線から入力された信号を出力するＣＳ放送出力端子に対応する１個のレセプタクル５３を追加している。
【００２６】
（実施形態３）
本実施形態の基本的な構成は実施形態１と同様であるので、共通の部分については同じ符号を付して説明を省略し、異なる部分についてのみ説明する。本実施形態における分波部２は、ＵＨＦ受信帯域よりも周波数の低い切換信号を衛星放送出力端子３１とアンテナ線Ｌとの間で通過可能とする。
【００２７】
詳しく説明すると、図１６に示すように、分波部２は、衛星放送信号を通過させるハイパスフィルタ（ＨＰＦ）２１と、実施形態２において説明した衛星偏波切換信号を含みＵＨＦ受信帯域よりも周波数が低い切換信号を通過させるローパスフィルタ（ＬＰＦ）２３と、地上波放送信号を通過させるバンドパスフィルタ（ＢＰＦ）２４とを備える。ここで、衛星放送信号の周波数、地上波放送信号の周波数、切換信号の周波数は、例えばそれぞれ１Ｇｈｚ以上、１０ＭＨｚ以上１ＧＨｚ未満、１０ＭＨｚ未満である。入力信号は、ハイパスフィルタ２１と、ローパスフィルタ２３と、バンドパスフィルタ２４とにそれぞれ入力される。ハイパスフィルタ２１の出力すなわち衛星放送信号は衛星放送出力端子３１を介して出力され、バンドパスフィルタ２４の出力すなわち地上波放送信号は地上波放送出力端子３２を介して出力される。また、ローパスフィルタ２３は衛星放送出力端子３１に接続されている。その他の構成は実施形態１と同様である。
【００２８】
上記構成によれば、衛星放送出力端子３１に接続された機器からローパスフィルタ２３を介してアンテナ線Ｌに衛星偏波切換信号を送出することができるから、例えば図１７に示すように混合器の機能を有するＣＳ信号切換器ＣＣ２を用いて各信号を１本のアンテナ線Ｌに混合して入力端子１に入力することにより、それぞれ２種類の偏波を送信する２個の通信衛星を用いるＣＳ放送を、専用のテレビコンセントを新たに追加することなく受信することができる。
【００２９】
（実施形態４）
本実施形態の基本的な構成は実施形態３と同様であるので、共通の部分については同じ符号を付して説明を省略し、異なる部分についてのみ説明する。本実施形態はＣＡＴＶ回線を用いることを想定しており、本実施形態における入力信号には、ＣＡＴＶ回線から入力された信号が混合されている。ＣＡＴＶ回線から入力される信号の受信帯域は、地上波放送信号の帯域に含まれる。
【００３０】
また、本実施形態はＣＡＴＶ回線を用いたインターネットへの接続にも対応しており、図１８に示すように、ＣＳ・ＢＳチューナＴ２が接続される衛星放送出力端子３１と、放送サービスを視聴するためのいわゆるホームターミナルＴ４が接続される地上波放送出力端子３２との他に、ＣＡＴＶ回線を介してインターネットに接続するためのＣＡＴＶモデムＭＤを接続することを想定した第２の地上波放送出力端子３４を備える。
【００３１】
ところで、ＣＡＴＶ回線を介してインターネットに接続する際に、末端に接続されたホームターミナルＴ４などの機器において発生した雑音が信号線において集積されたいわゆる流合雑音が問題になる。流合雑音を抑制するためには、流合雑音に対応する周波数帯域の信号を阻止するフィルタを、機器が接続される端子とアンテナ線との間に設けることが考えられる。しかし、流合雑音の帯域は、すなわちインターネットとの接続に用いられる信号の帯域であるので、フィルタが接続された端子からはインターネットに接続することができない。
【００３２】
そこで、本実施形態は、図１９に示すように、地上波放送信号を２分配する分配部７と、分配部７の一方の出力が入力され流合雑音に対応する周波数帯域の信号を阻止して地上波放送出力端子３２に出力する第１のフィルタ８１と、少なくとも流合雑音に対応する周波数帯域の信号を阻止する第２のフィルタ８２ａ並びに分配部７の他方の出力をそのまま通過させるオフ状態と第２のフィルタ８２ａに通すオン状態とを切り換えるスイッチ８２ｂを有するフィルタ部８２とを備える。第２の地上波放送出力端子３４には、フィルタ部８２の出力が入力される。
【００３３】
図２０に示すように、器体５には第２の地上波放送出力端子３４に対応する１個のレセプタクル５３が追加されている。器体５は、図２１に示すように、ボディ５ａと、ボディ５ａの前側に被着されるカバー５ｂとからなる。ボディ５ａには、分波部２と、電流通過部４と、分配部７と、第１のフィルタ８１と、フィルタ部８２とが内蔵されるとともに、入力端子１が内蔵された入力端子部５３と、３個のレセプタクル５３とが設けられている。各レセプタクル５３は、それぞれ衛星放送出力端子３１と地上波放送出力端子３２と第２の地上波放送出力端子３４とのいずれか１つに対応する。図２２に示すように、取付爪５１はボディ５ａの両側に突設されている。また、スイッチ８２ｂを操作するための操作ハンドルＨはボディ５ａの前面であってカバー５ｂに覆われる部位に設けられている。カバー５ｂが装着された状態ではスイッチ８２ｂの操作ハンドルＨが操作できないから、スイッチ８２ｂが誤って操作されることを防止することができる。さらに、ボディ５ａの前面において上下２個のレセプタクル５３の左右両側には、それぞれ上下に長い取付片５４が前方へ突設されていて、各取付片５４にはそれぞれ結合穴５４ａ（図２１参照）が左右に貫設されている。
【００３４】
図２３に示すように、カバー５ｂには、それぞれ１つのレセプタクル５３を露出させる３つの貫通穴５５が前後に貫設されている。また、カバー５ｂの後端部の両側にはそれぞれボディ５ａの結合穴５４ａに係合する係合爪５６が突設されている。係合爪５６と結合穴５４ａとの係合によって、ボディ５ａとカバー５ｂとは結合される。
【００３５】
上記構成によれば、インターネットに接続しないホームターミナルＴ４などの機器を第２の地上波放送出力端子３４に接続する際は、操作ハンドルＨを操作してスイッチ８２ｂをオン状態に切り換えることで、機器で発生した雑音が第２の地上波放送出力端子３４を介してアンテナ線Ｌへ送出されることを防ぐことができるから、流合雑音を抑制することができる。また、第２の地上波放送出力端子３４にＣＡＴＶモデムＭＤを接続する際は、スイッチ８２ｂをオフ状態に切り換えることで、インターネットへの接続を行うことができる。もちろん、実施形態３と同様に分波部２が切換信号を衛星放送出力端子３１からアンテナ線Ｌへ通過可能としているから、図２４に示すように、それぞれ２種類の偏波を送信する２個の通信衛星を用いるＣＳ放送にも対応している。
【００３６】
なお、入力端子部５２の構造は図２５及び図２６に示すように外部からの電磁波を遮蔽する金属板で覆われた高シールド型であってもよい。
【００３７】
ところで、第２の地上波放送出力端子３４に機器を接続していないときは、第２の地上波放送出力端子３４において信号が反射してしまう。信号の反射を防ぐためには、図２７に示すようにダミー抵抗Ｄを第２の地上波放送出力端子３４に接続することが考えられるが、この場合ダミー抵抗Ｄを別途用意しなければならない。
【００３８】
そこで、図２８に示すように、線路を終端させる終端部９１と、終端部９１において線路を終端させる状態と分配部７の出力を第２の地上波出力端子３４に通過させる状態とを切り換える終端スイッチ９２とをフィルタ部８２に代えて設けてもよい。この構成によれば、地上波出力端子３４に機器が接続されていないときは終端スイッチ９２を操作するだけで線路を終端させることができるから、図２９に示すように第２の地上波出力端子３４に何も接続しなくても信号の反射を防ぐことができ、ダミー抵抗Ｄを別途用意する必要がない。
【００３９】
【発明の効果】
請求項１の発明は、アンテナ線に接続され、アンテナ線から入力された入力信号からＣＳ及びＢＳ受信帯域を含む衛星放送信号とＵＨＦ及びＶＨＦ受信帯域を含む地上波放送信号とに分波する分波部と、衛星放送信号を出力する衛星放送出力端子と地上波放送信号を出力する地上波放送出力端子とが設けられるとともに分波部が内蔵された器体とを備えるものであり、ＣＳ及びＢＳ受信帯域の組み合わせとＵＨＦ及びＶＨＦ受信帯域の組み合わせとはそれぞれ一般的に同じ機器に入力される組み合わせであるから、分波した各信号が出力される各ケーブルを混合器や分波器を通さずに直接機器に接続することができる。従って、ＣＳ受信帯域とＢＳ及びＵＨＦ及びＶＨＦ受信帯域とを分波する場合に比べて配線を簡素化することができる。
【００４０】
請求項２の発明は、請求項１の発明において、埋込型の配線器具用に規格化された取付枠に３個まで取り付けることのできる単位寸法の配線器具の２個分の寸法に器体を形成したので、単位寸法の他の配線器具と組み合わせても、１つの取付枠に取り付けることができる。
【００４１】
請求項３の発明は、請求項１の発明において、分波部に接続されるアンテナ線とは別の第２のアンテナ線から入力された信号が出力されるＣＳ放送出力端子を器体に設け、埋込型の配線器具用に規格化された取付枠に３個まで取り付けることのできる単位寸法の配線器具の３個分の寸法に器体を形成したので、機器からアンテナ線へ信号を送出する必要のある放送を受信することができる。
【００４２】
請求項４の発明は、請求項１又は請求項２の発明において、分波部はＵＨＦ受信帯域よりも周波数の低い切換信号を衛星放送出力端子からアンテナ線へ通過可能とするので、機器からアンテナ線へ切換信号を送出する必要のある放送を、専用のテレビコンセントを新たに追加することなく受信することができる。
【００４３】
請求項５の発明は、請求項１又は４の発明において、地上波放送信号を２分配する分配部と、分配部の一方の出力が入力され少なくとも流合雑音に対応する周波数帯域の信号を阻止して地上波放送出力端子に出力する第１のフィルタと、少なくとも流合雑音に対応する周波数帯域の信号を阻止する第２のフィルタ並びに分配部の他方の出力をそのまま通過させるオフ状態と第２のフィルタに通すオン状態とを切り換えるスイッチを有するフィルタ部とを器体に内蔵し、分配部の他方の出力がフィルタ部を介して入力される第２の地上波放送出力端子を器体に設けたので、スイッチをオン状態に切り換えることで、ノイズが第２の地上波放送出力端子を介してアンテナ線へ送出されることを防ぐことができるから、流合雑音を抑制することができる。また、第２の地上波放送出力端子を介してインターネットに接続する際は、スイッチをオフ状態に切り換えるだけでよい。
【００４４】
請求項６の発明は、請求項１又は４の発明において、地上波放送信号を２分配する分配部と、信号を通過させる状態と線路を終端させる状態とを切り換える終端スイッチとが器体に内蔵され、第２の地上波放送出力端子が器体に設けられ、分配部の一方の出力は地上波放送出力端子に入力され、他方の出力は終端スイッチを介して第２の地上波放送出力端子に入力されるので、線路を終端させるには終端スイッチを操作するだけでよいから、線路を終端させるためのダミー抵抗を別途に用意する必要がない。
【図面の簡単な説明】
【図１】本発明の実施形態１のシステム構成を示す説明図である。
【図２】同上を示すブロック図である。
【図３】同上を示す図であり、（ａ）は正面図、（ｂ）は側面図である。
【図４】同上の別の形態を示す側面図である。
【図５】同上の別の形態を示すブロック図である。
【図６】同上のさらに別の形態を示すブロック図である。
【図７】同上の別の形態を示すブロック図である。
【図８】本発明の実施形態２を示す図であり、（ａ）は正面図、（ｂ）は側面図である。
【図９】同上の別の形態を示す側面図である。
【図１０】同上のシステム構成を示す説明図である。
【図１１】本発明の実施形態１と別のテレビコンセントとを並設した状態を示す正面図である。
【図１２】本発明の実施形態２と別のテレビコンセントとを組み合わせた状態を示す図であり、（ａ）は正面図、（ｂ）は側面図である。
【図１３】同上の別の形態と別のテレビコンセントとを組み合わせた状態を示す側面図である。
【図１４】同上のさらに別の形態を示す図であり、（ａ）は正面図、（ｂ）は側面図、（ｃ）は背面図である。
【図１５】同上の別の形態を示す図であり、（ａ）は側面図、（ｂ）は背面図である。
【図１６】本発明の実施形態３を示すブロック図である。
【図１７】同上のシステム構成を示す説明図である。
【図１８】本発明の実施形態４のシステム構成を示す説明図である。
【図１９】同上を示すブロック図である。
【図２０】同上を示す図であり、（ａ）は正面図、（ｂ）は側面図である。
【図２１】同上においてカバーとボディとを分離した状態を示す側面図である。
【図２２】同上におけるボディを示す正面図である。
【図２３】同上におけるカバーを示す正面図である。
【図２４】同上の別のシステム構成を示す説明図である。
【図２５】同上の別の形態を示す側面図である。
【図２６】同上の別の形態においてカバーとボディとを分離した状態を示す側面図である。
【図２７】同上においてダミー抵抗を装着した状態を示す説明図である。
【図２８】同上の別の形態を示すブロック図である。
【図２９】同上において地上波放送出力端子に何も接続していない状態を示す説明図である。
【図３０】従来例を用いたシステム構成を示す説明図である。
【符号の説明】
２  分波部
５  器体
３１  衛星放送出力端子
３２  地上波放送出力端子
３４  第２の地上波放送出力端子
８１  第１のフィルタ
８２  フィルタ部
８２ａ  第２のフィルタ
８２ｂ  スイッチ
９２  終端スイッチ
Ｃ  分波機能付テレビコンセント
Ｌ  アンテナ線
【図１】
2004206969.tif 000003
【図２】
2004206969.tif 000004
【図３】
2004206969.tif 000005
【図４】
2004206969.tif 000006
【図５】
2004206969.tif 000007
【図６】
2004206969.tif 000008
【図７】
2004206969.tif 000009
【図８】
2004206969.tif 000010
【図９】
2004206969.tif 000011
【図１０】
2004206969.tif 000012
【図１１】
2004206969.tif 000013
【図１２】
2004206969.tif 000014
【図１３】
2004206969.tif 000015
【図１４】
2004206969.tif 000016
【図１５】
2004206969.tif 000017
【図１６】
2004206969.tif 000018
【図１７】
2004206969.tif 000019
【図１８】
2004206969.tif 000020
【図１９】
2004206969.tif 000021
【図２０】
2004206969.tif 000022
【図２１】
2004206969.tif 000023
【図２２】
2004206969.tif 000024
【図２３】
2004206969.tif 000025
【図２４】
2004206969.tif 000026
【図２５】
2004206969.tif 000027
【図２６】
2004206969.tif 000028
【図２７】
2004206969.tif 000029
【図２８】
2004206969.tif 000030
【図２９】
2004206969.tif 000031
【図３０】
2004206969.tif 000032